(57)【要約】【課題】呼吸器に疾患のある患者のための、酸素濃縮装置を用いる携帯用液体酸素を生成する方法および装置を提供する。【解決手段】ガス濃縮装置（１１）からの過剰のガスを分離し、それを液化して貯蔵容器（１４）に貯蔵する。貯蔵されたガスは、携帯用に利用される。酸素濃縮装置で生じた酸素の一部はコンデンサ（１３）に送られる。コンデンサは、酸素を受け取り、冷凍冷却器（１２）で液化する。貯蔵デューワ（１４）は、コンデンサで凝縮された酸素を貯蔵する。次に液体は、選択的に小型の携帯型デューワ（２３）に送られる。コントローラは、液化のパラメータ（酸素濃度、デューワ内の液化酸素量）を監視し、液体酸素の生成及び移送のパラメータを制御する。【選択図】図１
2008183422.tif 000002
【特許請求の範囲】
【請求項１】
空気から酸素を分離する酸素濃縮装置と、
前記酸素濃縮装置に接続され、酸素ガスの少なくとも一部を酸素ガスから液体酸素に相変化させる、相互に協力する冷凍冷却器及び凝縮器と、を備えた家庭用液体酸素システム。
【請求項２】
前記酸素濃縮装置が、圧力変動吸着（ＰＳＡ）タイプの酸素濃縮装置である、請求項１に記載のシステム。
【請求項３】
前記凝縮器へ導かれる単位時間当たり流量が、当該凝縮器の処理能力を越えるように選択される、請求項１に記載のシステム。
【請求項４】
前記凝縮器に導かれる気体状態の酸素の２０％から９０％が、液体のアルゴンと窒素と微量ガスを最小にするために凝縮される、請求項１に記載のシステム。
【請求項５】
前記凝縮器の温度がほぼ６９．２から１０９．７Ｋまでの範囲において変化し、前記凝縮器の絶対圧力がほぼ３４４７３Ｎ／ｍ２から４４８１６０Ｎ／ｍ２まで変化し、前記凝縮器へ供給されるガスの濃度が、ほぼ
酸素：８０から１００％
窒素：０から２０％
アルゴン：０から７％
に変化するよう、コントローラがシステムを制御する、請求項１に記載のシステム。
【請求項６】
前記液体酸素を貯めるよう形成されたデューワ瓶をさらに含む、請求項１に記載のシステム。
【請求項７】
前記デューワ瓶からの排出ガスが回収され、前記凝縮器へ供給されるガスを予冷するために使用される、請求項６に記載のシステム。
【請求項８】
前記システムがさらに：
前記デューワ瓶内の液体酸素を加熱するよう形成されたヒータと、
前記デューワ瓶内の圧力を検出するよう形成された圧力センサと、
前記圧力センサの出力に基づいて前記ヒータを制御するよう形成されたコントローラと、
をさらに含む、請求項６に記載のシステム。
【発明の詳細な説明】
【技術分野】
【０００１】
本発明の技術分野は、呼吸器に疾患のある歩行可能な患者のための携帯用の補助酸素供給源を生成する酸素濃縮装置を用いるシステムに関する。一般の主供給源はあまりにも大きく、操作に要する電力があまりにも大きいために携帯用には不向きであり、携帯が可能な家庭用液体酸素システムが提供できれば、患者は通常の生産的な生活が送れるようになる。
【背景技術】
【０００２】
家庭用および携帯用酸素の需要が急に高まってきた。例えば、肺の繊維症やサルコイド症、職業性の肺の病気など、肺に疾患のある患者にとって、補助酸素は不可欠のものである。こういった患者にとって、酸素治療はその有効性が増し、生命を与える治療となっている。肺疾患が治療されないとき、補助酸素により、血中に酸素供給することができ、血中酸素減少症を緩和する。この治療を施すことで、長期間の酸素欠乏により臓器系、特に、心臓、脳、および腎臓に生じる悪影響を防止することができる。米国では２５００万人が患っている慢性閉鎖性肺疾患（ＣＯＰＤ：Chronic Obstructive Pulmonary Disease）や、呼吸器系が衰弱するその他の疾患、例えば心臓病及びエイズにも酸素治療が施されている。喘息及び肺気腫にも補助酸素治療が施されている。
【０００３】
ＣＯＰＤ患者に対する一般的な治療では、鼻腔カニューレまたはマスクを介して１日２４時間、補助酸素供給を受ける必要がある。平均的な患者の治療において、患者が吸い込む酸素濃度を通常の２１％から４０％まで上げるために、高濃度酸素を１分あたり２リットル与える。平均的な酸素供給量は、１分あたり２リットルであるが、平均的な酸素濃縮装置は、１分あたり４ないし６リットル供給する能力を備えている。通常、（歩行可能な患者のようには）家庭から離れられず、携帯用の酸素供給源を必要としないが、より深刻な病状となった場合に、この過剰な供給能力が必要となる。
【０００４】
現在、医療用補助酸素を用いる３つの治療方法がある。つまり、高圧ガスシリンダ、真空隔離された容器または一般に「デューワ」と呼ばれる断熱瓶（貯蔵容器）の中に収容された極低温貯蔵を要する液体、および酸素濃縮装置を用いる治療方法である。ある患者は家庭用酸素だけを必要とし、別の患者はその治療内容により家庭用酸素および携帯用の酸素を必要とする。酸素濃縮装置は、デューワを充填したり空になったシリンダを充填されたものと交換したりする必要がないので好適であるが、これらすべての使用方法は家庭用として用いられる。
【０００５】
外出用として（家庭外で）携帯して用いるのに十分なのは、小型の高圧ガス瓶と液体デューワだけである。いずれかの治療方法を家庭用および携帯用として用いてもよいし、あるいは家庭用の酸素濃縮装置と組み合わせて用いてもよい。
【０００６】
後述するように、上述の現在ある方法および装置は煩雑で取り扱いにくいことが知られており、携帯用または歩行に適した酸素を提供する改善された供給手段が長い間待ち望まれていた。
【０００７】
酸素吸入を必要としながら、例えば固定式の酸素システム（携帯可能なシステムであっても簡単には持ち運べないものを含む）のような酸素生成または酸素貯蔵する供給源から離れて生活する必要のある人々にとって、一般に利用可能な２つの治療方法があって、それは（ａ）通常、車輪付台車に載せた小型シリンダを運搬する方法と、（ｂ）通常、肩紐でつるした携帯用容器を携行する方法とがある。これらの気体酸素および液体酸素による方法には本質的な問題点がある。しかし医療的見地からすると、これらの治療方法により患者の生産的な生活が向上する。
【特許文献１】米国特許第４，８２６，５１０号明細書
【特許文献２】米国特許第４，９７１，６０９号明細書
【発明の開示】
【発明が解決しようとする課題】
【０００８】
気体酸素による方法の主な問題は、気体酸素を含む小型シリンダでは、ほんの短い時間しか酸素供給できないことである。酸素が吸入されているときだけ供給する酸素節約装置を使うこともある。しかし、節約装置はコストを吊り上げ、健康保険が適用されないという理由から、プロバイダは取り付けることを好ましく思わない。確かに、医療用酸素治療に対して保険が適用されにくくなっているようだ。
【０００９】
気体酸素による治療方法の別の問題は、シリンダ内の酸素を使い切ったらすぐに、酸素を充填する必要があることである。これらの小型ガスシリンダは、特別の設備のあるホームケア・プロバイダで入手し、また充填する必要がある。そのため、プロバイダは定期的に患者の家庭を訪問する必要があり、また数多くの小型シリンダを家庭および補充するプロバイダに確保する必要があるので、相当な投資を必要とする。大気から酸素を抽出する商業的に利用可能な酸素濃縮装置を用いて、患者の家庭でこれらシリンダを充填することは技術的には可能であるが、この作業を行うには一般に、目の前にある酸素圧縮器の出力圧力を高く上げて、シリンダを充填する必要がある。さらに、家庭で加圧容器に酸素を圧入することは、特に訓練を受けていない人にとっては危険である。このアプローチでは、当然に、家庭用としての安全上の問題がいくつかある。例えば、このガスを携帯用容器に十分圧入するためには、このガスを一般に高圧（２０００ｐｓｉ）に加圧する必要がある。酸素を５ｐｓｉ（酸素濃縮装置の通常の出力圧力値）から２０００ｐｓｉまで加圧すると、相当大量の熱が生じる（この熱は、３つの断熱圧縮過程および冷却過程で、過程毎に温度を１６５℃引き上げるのに相当する）。この熱と、高圧でより反応性の高くなった酸素とにより、患者の家庭内の圧縮器が発火する危険性が生じる。つまり、患者の家庭で高圧ガスシステムを使用し貯蔵することは、危険であり実用的な方法ではない。
【００１０】
圧縮酸素によるこのアプローチの問題点は、便利性と安全性の点だけではない。別の問題点は、圧縮器またはまた圧力ブースタが高圧酸素を取り扱うために必要な特別の注意と材料を必要とするので高価なものとなることである。例えば、カリフォルニア州ベニシアにあるリックス・インダストリーズの１／３ｈｐユニットは約１０，０００ドルで、カリフォルニア州バーバンクにあるハスケル・インターナショナルの大気駆動ブースタは約２，２００ドルで、加えてこれを駆動するための加圧空気供給器が必要となる。リットン・インダストリーズまたはその他の会社も酸素加圧ブースタを製造している。
【００１１】
ここで液体酸素を貯蔵して治療する方法について説明すると、その主な問題点は、標準的なビア樽程度の大きさをもつ固定式貯蔵ベースユニットであるベース貯蔵器を必要とする点で、この著臓器は週に１度再充填する必要がある。すると液体酸素はこのベースユニットから得られて、歩行可能な患者が利用できる携帯用デューワに詰め替えることができる。また、液体酸素を用いる方法では、携帯用容器に詰め替える際、および蒸発により相当の無駄が生じる。詰め替え時および通常の蒸発により、２週間でベースシリンダの全容量の２０％が失われていると推定される。つまりこのユニットから酸素を全く供給しなくても、通常３０日から６０日で干上がってしまう。
【００１２】
その他にも問題がある。一般に、在宅看護提供者（ホームケア・プロバイダ）が保険会社または医療看護者（メディケア）からその治療方法によらず一定の金額を受領した見返りとして、補助酸素はプロバイダから患者に提供される。家庭で用いる酸素濃縮装置は、好適であり、ホームケア・プロバイダにとっても最も安価である。しかし家庭の外で使用する場合、外出用として携帯できるのは、小型の高圧ガス瓶および液体デューワだけである。これらの２つの治療方法の一方が、家庭用および外出用の両方として用いてもよく、あるは家庭用の酸素濃縮装置と組み合わせても良い。いずれにしても、ホームケア・プロバイダ酸素を補充するために、費用が掛かるが、患者の家庭を毎週または隔週訪問する必要がある。本発明の１つの目的は、この費用の掛かる「牛乳配達」をしなくても済むようにすることにある。
【００１３】
患者に酸素ガスを提供するための携帯酸素濃縮装置が商業的に利用可能である。これらの装置が「携帯可能」であるという意味は、単純に、自動車や飛行機を用いて別の場所に運搬できるということである。現在のところ、液体酸素を提供する家庭酸素濃縮装置は商業的に利用可能となっていない。医療酸素濃縮装置の１つとして、大気を取り込み、圧力変動吸着（ＰＳＡ：pressure swing adsorption）サイクル上で分子選別フィルタを通過させ、ほとんどの窒素を除去して酸素９０％以下の供給を生成するものがあり、例えば上記の特許文献１、特許文献２に開示されている（これらは、一体のものとしてここに統合される）。一方、情報開示手続文書（ＩＤＳ）で説明したように、軍部がジェット飛行機内で用いるための複雑な酸素液化システム、および大規模な商業プラントが開示されているが、各患者個人を支援し、一般の人々の利益に供するような手法が、この技術を用いて実現された訳ではない。必要とされる電力があまりにも大き過ぎて、軽量の電池パックでは供給されないので、本当の意味での携帯酸素濃縮装置は、まだ実現されておらず、少なくとも近い将来においてもまずあり得ない。
【００１４】
液体酸素は周期的に配達する必要があり、液体酸素を生成する家庭酸素濃縮装置は市販されていないので、大気から酸素を濃縮して、液化し、家庭内環境で携帯用デューワに充填できる装置および方法、並びに、後に利用するために圧縮または液化して貯蔵し、濃縮装置から過剰な供給量を提供できる家庭酸素濃縮装置ユニットが長い間待ち望まれていた。
【課題を解決するための手段】
【００１５】
本発明は、極めてより安全でより安価にして、固定装置に拘束されて、現在ある酸素技術により縛られることを望まない患者に携帯酸素を供給する方法を提供する。１つの好適な実施の形態において、本発明は、ＰＳＡまたは比較的安定したベース積載量を有するメンブレンガス濃縮装置からの余剰ガス供給能力を分ける。およそ１分当たり１リットル（１ＬＰＭ）のこの余剰ガス供給能力を少量だけ、液化して貯蔵する。貯蔵されたガスは、ガス濃縮装置から離れた場所で、携帯用供給源として用いられる。患者が必要とする毎分２リットル６時間分の供給量を２４時間未満の間毎分１リットルを液化することにより貯蔵することができる。したがって、必要ならば日々の活動に必要な全部の酸素量を生成することができる。
【００１６】
多くの代表的な実施例の１つについて、気体酸素の一部を液体酸素に濃縮し、携帯用酸素源を提供する携帯用の家庭用液体酸素システムを要約して開示する。この携帯型家庭用液体酸素システムは、（ａ）周辺大気から酸素ガスを分離する酸素濃縮装置と、（ｂ）患者が利用するために、酸素濃縮装置からの酸素ガスの流れを変える出口フローラインと、（ｃ）酸素生成器により生成された酸素ガスのフローの一部を分離するための、出口フローライン内に設置されたバルブと、（ｄ）酸素ガスフローの分離された一部を受容して液化するための、一般に鉛直方向に配置して重力を利用する濃縮装置と、（ｅ）濃縮装置に設置された冷凍冷却器と、（ｆ）濃縮装置により液化された酸素を貯蔵するための、濃縮装置と液体連通する第１の貯蔵デューワと、この第１の貯蔵デューワは、少なくとも一つのより小型の第２の貯蔵デューワおよび液体通路に、選択的に接続して液体連通し、第１デューワから第２デューワに液体酸素を供給するものと、（ｇ）第１の貯蔵デューワを加熱するための加熱器と、（ｈ）(1)濃縮装置からの酸素ガスフローの酸素濃度と、(2)第１デューワ内にある液体酸素量とをモニタして、液体酸素の生成および第１貯蔵デューワからの転送を制御するための制御装置と、を備えている。
【００１７】
別の代表的な実施例は、濃縮装置に対する流速を能力以上に選択することを特徴とする。濃縮装置に入るフローの２０％ないし９０％だけを濃縮せず、アルゴン、窒素、および希ガスが液化されるのを最小限に抑える。
【００１８】
さらに制御装置は、濃縮装置の温度がおよそ６９．２Ｋから１０９．７Ｋ、濃縮装置の絶対圧力が５ないし６５ｐｓｉ（３４４７３Ｎ／ｍ２から４４８１６０Ｎ／ｍ２）、濃縮装置に入るガス濃度が酸素８０ないし９０％、窒素０ないし２０％、アルゴン０ないし７％の範囲内に入るように、濃縮装置のパラメータを制御するようにしてもよい。
酸素を液化するために用いる冷凍冷却器と熱接触する、新規な濃縮装置の仕様を説明すると、この濃縮装置は、（ａ）酸素を受容する入口導通管と、（ｂ）出口部と、（ｃ）入口部と、（ｄ）出口部と入口部との間にある通路と、（ｅ）通路に至る放射状スロットを有する入口部と、（ｆ）濃縮装置内に酸素を循環させる手段と、を備えている。
また、酸素濃縮装置を有する家庭携帯用液体酸素システムを制御するための代表的な方法を説明すると、マイクロプロセッサを有する制御装置と、濃縮装置と、冷凍冷却器と、貯蔵デューワとを有し、酸素フローの一部または全部を気化するために用いられ、この方法は、（ａ）データベースと制御機能を有するマイクロプロセッサを用意するステップと、（ｂ）酸素ガスの濃度と供給源と、デューワ内の液体酸素量と、濃縮装置の圧力とに関するパラメータを検出するステップと、（ｃ）これらのパラメータをマイクロプロセッサに与え、最適条件を計算させるステップと、（ｄ）最適条件がこの計算機能として実現されるように、サーボ機構をシステム管理させるように制御するステップと、を備えている。
液体デューワは、周期的に煮沸乾燥させて、ガス濃縮装置に入り込む微量の水分または炭化水素を排除することを特徴とする。
【発明の効果】
【００１９】
上述の要約された装置および方法は、クレームでより詳述されるが、長年待望された要請を満足するものであって、例えば潜在的に危険な高圧酸素容器の必要性なく、患者に安全上の新たな問題を提起しない。結果的に、患者は馴染みのある装置を用いることができる。例えば患者は現在のように、大型（液体で３０ないし５０リットル）デューワから、小型（６時間使用可能な０．５ないし１．２リットル）の携帯デューワに液体転送する。本発明は、従来の方法より安価なライフサイクルコストで携帯酸素を供給する手段を提供する。部屋全体を占有するような産業用または軍事用の液化装置とは異なり、クレームされた酸素液化装置（酸素濃縮装置を含まず）は、重量が６０ポンド未満で、体積が６フィート立方未満である。現在、米国では７０万人の患者が携帯酸素を利用し、その年間平均コストは患者一人あたり１９６０ドルである。本発明による患者一人あたりの年間コストは、およそ５４０ドルと推定される。
【発明を実施するための最良の形態】
【００２０】
本発明の好適な実施の形態のフローチャートを図１に示す。本発明の主要構成要素には、酸素濃縮装置１１、冷凍機１２、コンデンサ（凝縮器）１３、及び貯蔵及び回収用の貯蔵容器（真空容器）１４が含まれる。好適な実施形態では、酸素濃縮装置１１は、圧力変動吸着サイクルごとに動作し、空気から実質的に殆どの窒素を他の微量要素〔水分（Ｈ２Ｏ）、二酸化炭素（ＣＯ２）、一酸化炭素（ＣＯ）、窒素酸化物（ＮＯｘ）等〕と共に除去する。結果として、高酸素濃度（９２％以上）を有する乾燥ガスの流れが得られ、このガスは流体出口５０から流れ出る。この流体出口５０から供給されるガスの一部は、コンデンサ１３に送られる。冷凍機（又は低音保存冷凍機）１２との協力により、フローライン５１、５７を介してコンデンサ１３に送られる。冷凍機はコンデンサ１３を液化温度まで冷却し、これにより、酸素を該液化温度の媒体に接触させてガス状態（気相）から液体状態（液相）とする。通常、コンデンサ１３は、環境の熱から隔離されなければならない。また、実際には、貯蔵容器１４の中に配置してもよい。冷凍機１２の負荷を減少するために、復熱器（回収熱交換器）１５を用い、冷媒として貯蔵容器からのフローライン５２を介して流れる流体を利用し、入ってくる流体を事前に冷却してもよい。実際上、復熱器１５もまた、環境の熱との接触を減らすために、貯蔵容器１４の中に配置してもよい。
【００２１】
コントローラ１６は、マイクロプロセッサ、適当なメモリ、ソフトウェア、及び補助装置を有する。補助装置は、システムの動作を監視し制御するために利用できるコンピュータを有する。コントローラ１６には、液体レベルセンサ１７、酸素センサ（酸素検出器）１８、圧力変換器９、及び温度センサ１０が、ライン５３、５９、５５及び５６を介して、それぞれ接続されている。これらセンサ等の信号は、コントローラ制御バルブ１９、バルブ２５、ヒータ２１、冷凍機１２を用いて、予め決められたプログラムに従って、コンピュータで検出されて処理される。
【００２２】
コントローラはまた、患者に対する複数の出力インジケータ（指示器）を有する。貯蔵容器における液体のレベルは連続的に表示され、酸素濃度が低い場合やシステムから携帯用貯蔵容器に液体を移送する準備が出来たとき、患者に知らされる。通信モデムや無線リンクを設け、在宅看護提供者によって、システムの重要なパラメータや、修理・補修・請求・医療用酸素市場における患者の統計的研究に有益な情報を、遠隔監視できるようにしてある。関心のある重要なシステムのパラメータには、実際に行なわれた液体移送回数、酸素濃度履歴、冷凍機の運転時間、最後に行なわれた沸騰乾燥時間、及び実際に行なわれた沸騰乾燥の回数が含まれる。コントローラには、液化装置に一体的に設けたコンピュータ又はマイクロプロセッサ、又は遠隔場所に設けられているが通信モデム又は電話線若しくは無線インターフェイスを用いて通信可能に接続されたコンピュータ又はマイクロプロセッサを含めてもよい。コンピュータ又はマイクロプロセッサには、データベースを有するメモリを設けてもよいし、ネットワークを用いて遠隔地に接続されたメモリやデータベースに接続してもよい。液化装置の最適操作に関する適正液化スケジュールが図７から図１０に表されており、これはメモリやデータベースを用いてコントローラに格納してもよい。コントローラは、システムの最適なパラメータを検出し、サーボ機構を作動して、液体酸素の液化及び移送を含めて最適に制御できる。
【００２３】
貯蔵容器１４には、先端を浸けておくディップチューブ２０とヒータ２１が設けてある。ヒータ２１は、必要なときにディップチューブ２０から液体を排出すべく該貯蔵容器内の圧力を高めるために利用される。素早く分離できるバルブ２２又はその他の流量制御手段が、ディップチューブの端部に設けられる。これにより、携帯型ＬＯＸ貯蔵容器（デューワ）２３が接続でき、過搬式酸素供給装置を必要とする患者が持ち運ぶことができる。
【００２４】
図２に示す本システムの他の形態において、貯蔵容器は省略されており、既存の携帯型貯蔵容器を少し変更した携帯型貯蔵容器２３が代わりに用いられている。この新規な携帯型貯蔵容器は、コンデンサ１３、復熱器１５、及びコントローラ１６と連結される。本実施形態では、搬送及び沸騰乾燥モードが除かれた好適な実施形態に利用される制御と少し異なる制御が必要とされる。携帯型貯蔵容器２３では、使用後に、該貯蔵容器から蓄積された水や炭化水素が除去され、そのために該貯蔵容器は再度使用する前に室温まで暖めることができる。
【００２５】
動作を説明する。図１の好適な実施形態では、圧力変動吸着（ＰＳＡ）システムが利用されており、空気が酸素濃縮装置１１に吸入され、オイルフリーコンプレッサで圧縮され、冷却され、圧力変動吸着サイクル上で動作する分子ふるい床を通過する。圧力変動吸着サイクルは、米国特許第５，３６６，５４１号、第５，１１２，３６７号、第５，２６８，０２１号、及び再発行特許第３５，００９号に開示されている。このＰＳＡシステムは、毎分５〜６リットルのガス（圧力が３〜７ｐｓｉｇの高酸素濃度ガス）を生成する。このガスの組成は変動するが、一般には、酸素９０〜９５％、アルゴン５〜６％、窒素０〜４％、１５ｐｐｍ以上の水蒸気、及び１ｐｐｍ以上の炭化水素からなる。ＰＳＡサイクルからの排気（窒素８０〜８４％、酸素１５〜１９％、アルゴン０．６〜０．８％、微量の水蒸気・二酸化炭素・炭化水素を含む。）は、廃棄ガスとして大気に放出される。好適な実施形態では、流体出口５０における高濃度酸素は、患者用に毎分０〜４リットルが制御バルブ２４へ、また液化用に毎分０．５〜１．５リットルがライン５１から制御バルブ１９へと分けられる。酸素センサ１８は、酸素濃縮装置１１で生成される酸素濃度を監視する。そして、酸素濃度が８８％未満に低下すると、コントローラ１６はバルブ１９を閉めて冷凍機１２を停止する。
【００２６】
８８％濃度の酸素は酸素補給療法にとって十分なものであるが、これを液化すると、以下の説明するように、混合物を構成する成分の沸点が接近しているために、初期に再気化されたガスが低酸素濃度である。復熱器１５に入る分割ガスの温度はほぼ室温に等しい。このガスは、貯蔵容器から、フローライン５２を介して復熱器の反対側を通って流れる排気ガスによって、約２７０Ｋ又は更に低い温度まで冷却される。復熱器１５は、その冷たい排ガスを用いてコンデンサ１３に流れ込む高濃度酸素のガスを予備的に冷却することで、冷凍機の負荷を低減する。高濃度酸素が復熱器１５からライン５７を介してコンデンサ１３に流れ、これは冷凍機１２で約９０Ｋまで冷却される。
【００２７】
コンデンサ１３は、その低温表面において上記高濃度酸素を冷却して凝縮する。なお、コンデンサ１３を通過するガスは、酸素、アルゴン、及び窒素の混合物である。これらの成分の標準沸点は、それぞれ９０．１８Ｋ、８７．２８Ｋ、７７．３６Ｋである。これらの混合物の沸点が接近しているため、すべての窒素とアルゴンが酸素と共に凝縮されるものと思われていた。仮に、このことが実際に起こるとすれば、液体混合部が再気化されると、低沸点成分（窒素、アルゴン）が最初に沸騰して除かれる。そのために、コンデンサに供給されるガスよりも高濃度の窒素とアルゴンと低濃度の酸素を含むガスを生じ、そのために酸素を取り扱うプロセスを無効化し得る。
【００２８】
この問題について図３と図４を用いて説明する。なお、図３と図４は、酸素とアルゴン及び酸素と窒素の組み合わせに関する温度組成図である。これらの図は、Ｋ．Ｄ，TimmerhausとT.M.Flynn、低温処理工学、Plenum  Press、１９８９年、２９６〜２９７頁から引用したもので、任意の圧力における上の曲線が露点を示し、下の曲線が泡立ち点を示す。図４において、圧力が０．１０１MPaの場合、１０モルパーセントの窒素を含む混合ガス（ポイント１）では、ガスが露点曲線まで冷却されたときに凝縮が開始され、そのときの温度は約８９．５Kである。酸素は窒素よりも沸点が高いので、形成される最初の液体（ポイント２ｆ）は、僅か７．４モルパーセントの窒素しか含まない。温度がポイント３よりも低い場合、液体はポイント３ｆの組成を有し、残る蒸気がポイント３ｇの組成を有する。温度がポイント４ｆ以下に低下すると、すべての混合物が液化し、その組成はポイント１と同様に１０モルパーセントの窒素である。この液体が加熱されると、沸点の低い窒素が最初に気化する。そのため、最初に形成される蒸気の組成は、ポイント４ｇ又は約３０モルパーセントの蒸気である。残りの液体が沸騰すると、蒸気の窒素モルパーセントは、ポイント２ｇに到達した時点で、１０モルパーセントまで低下する。組成が変化すると、酸素・アルゴン・窒素からなる３成分混合物は、２成分混合物に関する図３と図４に示すものよりも更に複雑である。都合の良いことに、コンデンサに供給されるガスの僅か２０〜９０％だけが実際に凝縮されるようにシステムが設定されている場合や、コンデンサが上述のように複数のパラメータに従って制御される場合、そのような問題はない。これは、過剰なガスによってシステムから高不純物濃度の蒸気が排気され、上述の問題が解消されるものと思われる。代わりに、高濃度の酸素が液化され、携帯型装置で説明したように高濃度の酸素が液化されて貯蔵される結果となる。
【００２９】
図５は、好適な実施形態における酸素濃縮装置１１から送り出される生成物の凝縮及び再気化に関する酸素濃縮試験データを示す。システムが起動してから最初の１２０分間、貯蔵容器１４に液体を蓄積していない状態でシステムが冷却される。この時点から約５００分経過時点まで、濃縮処理が液体の蓄積と共に継続される。この段階では、コンデンサ１３への流入ガスは、９５％の酸素濃度を有し、フローライン５２を流れる排気は９２〜９３％の酸素濃度を有するに過ぎない。５００分経過後、ガスの流入とコンデンサの冷却が終了する。最初に沸騰する低沸点成分（アルゴンと窒素）により液体が沸騰するに従って、再気化された液体の酸素濃度が上昇する。酸素濃度は約８５％以上であるので、この酸素濃度の変化は医療用の移動使用に対して問題とならない。
【００３０】
上述した混合物の問題のために、液体におけるアルゴンと窒素の量が過剰に多くしないことが重要である。すなわち、液体を再気化したときに、酸素濃度が酸素補給療法で従来から用いられていた値（８５％以上）よりも大幅に低くならないようにすることが重要である。このことは、適正な凝縮温度を選択することにより達成できる。なお、凝縮温度は圧力の関数で表され、すべの流入ガスを凝縮することで行われるものでない。流入ガスの一部（２０〜９０％）が液化されると、残りの流入ガスが高濃度不純物を含む蒸気をシステムから排出する。圧力１７ｐｓｉａの条件で凝縮温度を約９０Ｋとすると、酸素生成量を過度に少なくすることなく、液化されるアルゴンと窒素の量を最小化される。また、コンデンサから流出するものには、液体と蒸気の両方が存在する。液体は貯蔵容器１４に落下して回収される。凝縮されなかった蒸気は、フローライン５２と復熱器１５を介して大気に排出される。
【００３１】
液化量は、冷凍機の冷却能力に対する流量を設定することにより制御される。コンデンサや復熱器のパラメータはコントローラ（コンピュータ）に格納され、格納されたパラメータや検出されたパラメータに応じて、該コンピュータが流入量を制御する。流量が復熱器とコンデンサとの冷却能力を超えると、流入するガスがすべて液化できない。流量は、入口バルブ１９と流量制御バルブ２５の間の流量制御装置で制御される。そのため、復熱器、コンデンサ、その他の連結配管と同様に、バルブで流量ロスが生じる。
【００３２】
貯蔵容器１４内の圧力は、冷凍機がバルブ２５によって動作している間、大気圧よりも僅かに大きな値に維持される。コンデンサ内の圧力はできるだけ高く維持するのが好ましい。その理由は、図３と図４に示すように、該圧力によって凝縮温度が上昇し、それにより冷凍機に必要とされる条件が緩和されるからである。また、この圧力は、コントローラやコンピュータ、マイクロプロセッサ、及び記憶装置によって制御される。
【００３３】
ソレノイドでオン・オフするバルブ２５の圧力調整は、圧力変換器９とコントローラ１６で行なわれる。代替的に、動的に制御されるソレノイドに代わり、Tescom BB-3シリーズ等の背圧制御弁又は適当なサーボ機構を利用してもよい。貯蔵容器が液体で満杯になったことの信号を液体レベルセンサ１７がコントローラに送信するまで、又は酸素濃縮装置１１の液体酸素濃度が過度に低くなったことを示す信号が酸素センサ１８から送信されるまで、液体は貯蔵容器１４に貯蔵され続ける。
【００３４】
本発明の最良の形態において、コンデンサ用システムを最適動作するための動作パラメータは、コンデンサの表面温度が６９．２〜１０９．７Ｋの範囲、また圧力が５〜６５ｐｓｉａの範囲となるようにすべきである。医療用途のコンデンサに入るガス濃度は、酸素が８０〜１００％、窒素が０〜２０％、アルゴンが０〜７％とすべきである。
貯蔵容器１４から液体を移送するために、すなわち、携帯型ＬＯＸ貯蔵容器２３を充填するために、貯蔵容器１４内の圧力は、液体がディップチューブ２０に押し上げられるように上昇しなければならない。図１に示すように、その目的からヒータ２１が使用される。ヒータ２１は液体酸素に浸漬するか、内側容器の外表面に取り付ける。コントローラ１６は、ヒータ２１が起動する前に、冷凍機１２が停止し、バルブ２５が閉鎖されることを保証する。ヒータ２１は、圧力変換器９で測定される圧力が約２２ｐｓｉａに到達するまで、オン状態に保たれる。
【００３５】
酸素濃縮装置から微量だけ供給され得る固形水や炭化水素の蓄積を防止するために、貯蔵容器１４は周期的（好ましくは、約３０個の携帯型貯蔵容器に充填後、又は２ヶ月毎）に室温まで加温される。この処理は極めて経済的に行なわれ、貯蔵容器における液体残量が少なくなったとき（例えば、液体が移送されて、携帯型の貯蔵容器が充填された後）に行なわれる。この沸騰乾燥モードでは、バルブ１９が閉鎖され、冷凍機１２がオフされ、バルブ２５が開放され、ヒータ２１が起動される。ヒータは貯蔵容器中の残留液を完全に沸騰すると共に、液体酸素中又は冷却面上で凝縮及び固化している微量の水や炭化水素も完全に除去する。ヒータ２１は、温度センサ１０で測定される貯蔵温度が約３００Ｋまで加温されるまで、オン状態を維持する。その後の冷却段階で、すべての残留水蒸気が酸素ガスで除去される。
【００３６】
最初の起動時、又は周期的な沸騰乾燥工程の後、貯蔵容器、コンデンサ、復熱器、及びすべての関連する機器は室温状態とされ、冷却される必要がある。これは、スタートアップモードで行なわれ、その際、バルブ１９（図１参照）が開放され、ヒータがオフされ、冷凍機がオンされ、バルブ２５が圧力と流量を制御すべく調整される。流量を維持しながら、ガスの圧力と密度を出来るだけ高く保つことが望まれる。
【００３７】
貯蔵容器の壁やこれに関連する機器により、ガスが高密度であるほど、伝熱が良好に行なわれる。流量が高くなれば、対流による伝熱が良くなるが、冷却能力を上回ることがある。室温と９０Ｋとの間での冷凍機の冷凍特性により、冷却時間が最小化されるように流量を変更できる。
【００３８】
貯蔵容器１４には、安全のために、少なくとも一つのレリーフバルブ（安全弁）２６が設けられる。復熱器１５に入る前に、別のレリーフバルブ２９が設けられ、流入ガスの流れ５１と流体接続される。これはレリーフバルブ２６のバックアップとして機能するだけでなく、バルブ２５が閉鎖されている場合に、冷凍機１２が停止している間に復熱器１５から蓄積された水を除去するための手段として機能する。故障の際に酸素濃縮装置における背圧（バックプレッシャ）を防止するために、チェックバルブ２７が設けてある。
【００３９】
図６は、コントローラ１６による制御システムのブロック図と、信号入力値の範囲と出力状態とを示す。この図はまた、インジケータに対するインターフェイス、通信モデム又は無線インターフェイスを示す。携帯型貯蔵容器への液体移送を準備することをシステムに要求するために、モードスイッチ２８がユーザによって利用される。インジケータは、システムが貯蔵容器に圧力を加える視覚信号を提供する。圧力が所定の値に達すると、視覚信号及び／又は音響信号が与えられ、システムが液体を移送する準備が出来ていることを患者に報知する。コントローラは、独自に液体移送を行なうようにプログラムしてもよい。モデム、電話線、又は無線インターフェイスによる接続はオプション的な機器であり、これらは在宅看護提供者（例えば、維持や修理を補助するための者）又は保険会社又は健康管理提供者（管理者）（支払い金額が正当なものであることを証明するために十分な救急酸素を利用しているか否かを評価するための者）によってシステムの遠隔監視が出来るように、コントローラに負荷できる。
【００４０】
図７Ａから図７Ｄは、通常処理モード用のコントローラの論理フローチャートを示す。これは、入力／出力制御スケジュールともいう。修理技術者又は工場技術者が、プログラムをチェックしリセットする手段（方法）として利用されるキャリブレーションモードにコントローラを設定するために、該技術者によってモードスイッチ２８が利用される。図６に示すように、インジケータは読み取った液面レベル、移送要求の状態、及び低酸素濃度情報を患者に提供する。コントローラに最新の情報を提供するために、すべてのセンサは連続的に動作する。図８から図１１は、最適液化動作スケジュールと呼ばれる通常動作モード（スタートアップ、濃縮、移送、及び沸騰乾燥）用の入力値の関数として、詳細な出力状態を示す。
【００４１】
例えば、図８はスタートアップモード（システムが最初に起動されるか、沸騰乾燥後のモード）に関する。図６から図８、及び図１に示すように、スタートアップモード時、液体センサ１７は貯蔵容器中の液体体積がゼロであることを示し、酸素センサ１８が８８％以上の酸素濃度を示すと、バルブ１９が開放され、ヒータ２１がオフされ、冷凍機１２がオンされ、インジケータやコントローラが冷却状態を示す。バルブ２５が圧力を制御するように調整される。
【００４２】
システムが十分な冷却温度に達すると、安定状態又は通常動作の凝縮モードが使用される。図９に示すように、酸素センサが８８％以上の酸素濃度を示し、図９の左欄の他の基準が達成されると、コントローラ１６への入力がそのようになり、チャートの右欄に記載された出力状態が達成される。例えば、貯蔵容器のレベルが満杯状態を検出したものであれば、液体レベルセンサは約１００％のレベルを示し、これによりバルブ１９と２５を閉じ、ヒータをオフし、復熱器をオフし、貯蔵器が満杯であることを示す信号をインジケータに提供する。
【００４３】
図１０の移送モードは、人が携帯可能な保温ボトル又は貯蔵容器２３に主貯蔵容器１４から充填する段階である。例えば、図１０の最上部には、コントローラの読取値が示してあり、液体センサが２０％未満の液面を示す場合、図示するように主貯蔵容器から携帯型貯蔵容器に十分なえ気体が移送されていないという結果が計算される。携帯型容器に液体酸素を送るためにオペレータが貯蔵容器の圧力を上げたい場合、ヒータが起動され、図１０の左欄の最後の行に示すように、圧力センサによって圧力が２２ｐｓｉａを超えたことが表示されると、ヒータ２１がオフされて、コントローラの読取値又はインジケータが、携帯型容器への液体酸素の移送が出来ることを示す。最後に、図１１は、蒸気を逃がすためにバルブ２５を開放した沸騰乾燥モードと、それに関連する種々のパラメータを示す。
【００４４】
図１２は、図１における冷凍機１２の好適な実施形態であるパルスチューブ式冷凍機の概要を示す。コンデンサにおける冷却負荷は小さい（７〜１５Ｗ）ので、移動用酸素システムには、一つの移動部（圧力振動子）しか備えていないパルスチューブ式冷凍機が好適に利用される。パルスチューブ式冷凍機は、米国特許第５，４８８，８３０号、第５，４１２，９５２号、第５，２９５，３５５号に記載されている。図１１は、ダブルインレット型のパルスチューブ式冷凍機を示す。その他の形式のパルスチューブ式冷凍機（ＰＴＲ）、例えば、基本的なＰＴＲ又はインナーチューブ式ＰＴＲ（Zhu等、第９回国際冷凍機会議、ＮＨ、１９９６年６月）を利用してもよい。
【００４５】
図１２に示すダブルインレット型パルスチューブ式冷凍機は、圧力振動部３０、主ヒータリジェクタ３１、リジェネレータ３２、ヒートアクセプタ３３、パルスチューブ３４、オリフィスリジェクタ３５、バイパスオリフィス３６、主オリフィス３７、及び貯蔵空間３８を有する。閉鎖されたＰＴＲと加圧回路における好適な冷凍ガスはヘリウムであるが、その他の種々のガス（例えば、ネオン、水素）も利用できる。動作時、ＰＴＲは、ヒートアクセプタ３３における低温の熱をオリフィスヒートリジェクタ３５に圧送し、そこでほぼ大気温度で排気される。図１２はＵ型チューブの形態のＰＴＲを示すが、インライン（直線配置）構造、同軸配置構造でもよい。そこに記載されているものは、ピストン型の圧力振動器であるが、その他の形式（例えば、ダイヤフラム又はベローズを用いた物）も利用可能である。
【００４６】
図３は、冷凍機の他の形態の概要を示す。これは、蒸気圧縮式サイクル型冷凍機であり、米国特許第５，５７９，６５４号、フデレー及びアンドリアによる１９６９年ドイツ特許、米国特許第１，３３６，８９２号に示すような、混合ガス式冷凍機を用いている。小型・便利・低価格という条件に合致する限り、その他の冷凍機であってもよい。図１３において、冷媒は、コンプレッサで高圧まで圧縮される。次に、冷媒は、アフタークーラで冷却され、ヒートＧｈが環境に廃棄される。オイルセパレータにおいて、オイルが分離される。オイルは、流れを規制するものによって、コンプレッサの入口まで戻される。冷凍ガスは熱交換器に流れ、そこで返送冷却流によって冷却される。混合物の成分は、本プロセスにおいて凝縮される。液体とガスの冷凍混合物は、スロットルバルブを介して流れ、該バルブで減圧され、その温度が低下される。この冷媒は、蒸発器に入り、そこで熱負荷Ｑｃが吸収されて、一部の液体が沸騰して蒸気となる。この蒸気は、流入する流体から熱を吸収する熱交換器の冷却側に流れる。次に、蒸気はコンプレッサに流れる。熱Ｑｃは、低温Ｔｃで受け入れられる。これは、コンデンサが冷凍機に連結される場所である。
この種の冷凍機において、Ｔｃよりも高温で、酸素から熱を奪うことができる。
【００４７】
図１４と図１５には、垂直型の重力式コンデンサ１３の一例が示してある。酸素濃縮装置からのガスは、導管５７からチャンバ５８に流れ、さらに外側チューブ４１と内側チューブ４２との間の環状通路５９を介して分配される。内側ロッド４２は、酸素コンデンサ１３と冷凍機１２の表面間の温度勾配を最小化するために、高い熱伝導率を有する材料（例えば無酸素高伝導率ＯＦＨＣ（Oxgen Free High Conductivity）の銅）からなる。冷凍機の冷却側端部が、交差ハッチングされた部材６１で示してある。表面張力により、軸方向のスロット又は溝４３が、液体を凝縮しながら吸引する。これにより、凝縮面の全体に液体薄膜が形成されるのを防止し、流入ガスからの伝熱を促進する。凝縮された液体は、ロッドの底部から滴下し、凝縮されていないガスが環状部６０の端部から流出する。冷凍機が十分な冷凍能力と温度性能を有する場合には、コンデンサに流入するガスをすべて液化することができる。しかし、凝縮される窒素とアルゴンの量を最小化するために、好適な実施形態では流入するガスを２０〜９０％を凝縮している。流入量は、制御バルブ１９と該バルブの下流側の流量規制部の大きさを設定することによって決定できる。上述のように、流入ガスの一部だけを液化するように、流量はコンデンサと冷凍機の冷却能力を超えて選択される。また、コンデンサの圧力は、所望の流量を維持するように、出来るだけ高く維持される。圧力が高くなると、凝縮温度が上昇し、その結果、冷凍機に必要な要件が少なくなる。
【００４８】
図１６と図１７は、混合ガス冷媒を用いた冷凍機に容器に一体化できるコンデンサの他の形態を示す。この構成によれば、コンデンサの中央から貯蔵容器の液体にアクセスできる。冷凍機４５の冷却側端部は、外側チューブ４６と内側チューブ４７に熱的に接触しており、これらのチューブは高い熱伝導性材料（例えば、ＯＦＨＣ銅）からなり、冷凍機との接続にフランジ６２と６４を利用している。内側チューブは、表面積を大きくし、凝縮された液体を保有するために、該表面に切り込まれた軸方向のスロット又は溝４８（図１７参照）を備えており、これにより該表面の全体に液体の薄膜が形成されるのを防止している。ガスは、ポート６３を介してコンデンサに入る。液体と蒸気は、環状通路４９を介して流れる。本実施形態の斜視図が図１８に示してある。
【００４９】
このように、改良された携帯型家庭用液体酸素システムが開示されている。本発明のいくつかの実施形態と適用例を説明すると共に、発明時点で最適な実施形態を説明したが、大型の産業機器を含め、本発明の概念から逸脱することなく、多数の変更が可能であることは当業者にとって明らかである。物と方法の発明が含まれており、方法の発明において、発明のシーケンスは本発明の範囲で変更可能である。したがって、本発明は拡張することが可能であり、特許請求の範囲の構成及びその均等物以外によって制限されるものでない。
【産業上の利用可能性】
【００５０】
本発明は、携帯用液体酸素を生成、利用する産業分野において広く利用することができる。
【図面の簡単な説明】
【００５１】
【図１】医療用酸素に関する本発明の好適な実施の形態を示し、気体酸素が固定式デューワまたは容器に貯蔵するために分離され液化されるブロック図を示す。
【図２】本発明の別の実施の形態である、携帯用ＬＯＸデューワを用いた携帯可能な補助酸素を示す。
【図３】通常のデューワ圧力で酸素とアルゴンを混合するための、一般的な温度と組成を示すグラフである。
【図４】通常のデューワ圧力で酸素と窒素を混合するための、一般的な温度と組成を示すグラフである。
【図５】液化する際の濃縮装置に入るガスの流れと、デューワから出るガスの流れと、液体が再蒸発する際のデューワから出るガスの流れの一般的な酸素ガス濃度のテストデータを示す（酸素源は、ＰＳＡ酸素濃縮装置である）。
【図６】このシステムの制御装置のブロック図である。
【図７Ａ】制御装置ロジックを示すフローチャートである。
【図７Ｂ】制御装置ロジックを示すフローチャートである。
【図７Ｃ】制御装置ロジックを示すフローチャートである。
【図７Ｄ】制御装置ロジックを示すフローチャートである。
【図８】好適な実施例の開始モードにおける制御装置の入力レベルと出力状態を示す。
【図９】好適な実施例の濃縮モードにおける制御装置の入力レベルと出力状態を示す。
【図１０】好適な実施例の転送モードにおける制御装置の入力レベルと出力状態を示す。
【図１１】好適な実施例の煮沸乾燥モードにおける制御装置の入力レベルと出力状態を示す。
【図１２】パルス管冷蔵器の基本的構成部品を示す。
【図１３】本発明で用いられる冷凍冷却器の別の実施例である。
【図１４】濃縮装置の好適な実施例の側面断面図である。
【図１５】図１４に対応する濃縮装置の好適な実施例の後面断面図である。
【図１６】濃縮装置の別の好適な実施例の側面断面図である。
【図１７】図１６に対応する濃縮装置の好適な実施例の後面断面図である。
【図１８】図１６および１７の濃縮装置の実施例の等角投影図である。
【符号の説明】
【００５２】
９．圧力変換器、  １０．温度センサ、  １１．酸素濃縮装置、  １２．冷凍機、  １３．コンデンサ（凝縮器）、  １４．貯蔵容器（真空容器）、  １５．復熱器、  １６．コントローラ、  １７．液体レベルセンサ、  １８．酸素センサ（酸素検出器）、  １９．コントローラ制御バルブ、  ２０．ディップチューブ、  ２１．ヒータ、  ２２．バルブ、  ２３．携帯型ＬＯＸ貯蔵容器（デューワ）、  ２５．流量制御バルブ、  ２７．チェックバルブ、  ２８．モードスイッチ、  ３０．圧力振動部、  ３１．主ヒータリジェクタ、  ３２．リジェネレータ、３３．ヒートアクセプタ、  ３４．パルスチューブ、  ３５．オリフィスリジェクタ、  ３７．主オリフィス、  ５８．チャンバ、  ４９．環状通路。
【図１】
2008183422.tif 000003
【図２】
2008183422.tif 000004
【図３】
2008183422.tif 000005
【図４】
2008183422.tif 000006
【図５】
2008183422.tif 000007
【図６】
2008183422.tif 000008
【図７Ａ】
2008183422.tif 000009
【図７Ｂ】
2008183422.tif 000010
【図７Ｃ】
2008183422.tif 000011
【図７Ｄ】
2008183422.tif 000012
【図８】
2008183422.tif 000013
【図９】
2008183422.tif 000014
【図１０】
2008183422.tif 000015
【図１１】
2008183422.tif 000016
【図１２】
2008183422.tif 000017
【図１３】
2008183422.tif 000018
【図１４】
2008183422.tif 000019
【図１５】
2008183422.tif 000020
【図１６】
2008183422.tif 000021
【図１７】
2008183422.tif 000022
【図１８】
2008183422.tif 000023